(57)【要約】【課題】  電源不要で、設計が簡単で、使用に便利であり、容器内の物品にもともと容器内に存在した空気や水分の影響を受けさせず、且つ容器自体を簡単に移動させられ、空間の制限を受けない、防湿容器の提供。【解決手段】  容器本体と密封蓋を具え、該密封蓋は容器本体と組み合わされ、該密封蓋はシール蓋と外蓋で組成され、該シール蓋にフォーパイプ状の減圧管とそれに組み合わされる減圧手段が設置され、急速な減圧が行なえるものとされ、また、該シール蓋の一側に洩気弁手段が設けられ、もう一側に容器内が真空か否かにより伸縮する指示手段が設けられ、外蓋に上述の洩気弁手段と指示手段に組み合わされる保留孔が設けられ、該シール蓋と外蓋が接合される時に、該洩気弁手段と指示手段が外蓋より露出するものとされる。【選択図】        図２
0003105074.tif 000002
【実用新案登録請求の範囲】
【請求項１】
容器本体（１０）及び密封蓋（２０）を具え、該容器本体（１０）が中空状を呈してその内部に物品を放置するのに供され、該密封蓋（２０）は容器本体（１０）と組み合わされて両者間に密封関係を形成し、該密封蓋（２０）はシール蓋（２０２）と外蓋（２０１）で組成されている防湿容器において、
該シール蓋（２０２）にフォーパイプ状の減圧管（２５）とそれに組み合わされた減圧手段（２１）が設けられ、
該シール蓋（２０２）の一側に洩気弁手段（２２）が設けられ、もう一側に容器内の真空と非真空状態に対応して伸縮する指示手段（２３）が設けられ、
該外蓋（２０１）に上記洩気弁手段（２２）と指示手段（２３）に組み合わされる保留孔（２２１）、（２３０）が設けられ、シール蓋（２０２）と外蓋（２０１）が接合される時、該洩気弁手段（２２）と指示手段（２３）が外蓋（２０１）より露出することを特徴とする、防湿容器。
【請求項２】
請求項１記載の防湿容器において、指示手段（２３）は伸縮式ゴム管（２３１）の上に設けられ、該伸縮式ゴム管（２３１）は気孔柱（２０３）の外側に嵌合され、該伸縮式ゴム管（２３１）と気孔柱（２０３）の間にバネ（２３２）が介装され、該伸縮式ゴム管（２３１）に組み合わされたバネ（２３２）により容器内部の空気状態が発生する圧縮或いは伸張が伸縮式ゴム管（２３１）とその保留孔（２３０）の相対関係を改変し、これにより容器真空状態の判断に供され、容器が簡易な真空状態表示機能を具備したことを特徴とする、防湿容器。
【請求項３】
請求項２記載の防湿容器において、気孔柱（２０３）と伸縮式ゴム管（２３１）の間に介装されたバネ（２３２）の張力強度が容器内部が真空状態の時の真空圧力と符合し、これによりその真空状態が確保されることを特徴とする、防湿容器。
【請求項４】
請求項１記載の防湿容器において、外蓋（２０１）にハンドル（２４）が設けられたことを特徴とする、防湿容器。
【請求項５】
請求項１記載の防湿容器において、容器本体（１０）の周囲に係止部（１１）が設けられ、シール蓋（２０２）に該係止部（１１）と組み合わされる係止手段（２０２１）が設けられたことを特徴とする、防湿容器。
【請求項６】
請求項１記載の防湿容器において、容器本体（１０）の内側に溝体（１２）が設けられたことを特徴とする、防湿容器。
【考案の詳細な説明】
【技術分野】
【０００１】
本考案は一種の防湿容器に係り、特に電力不要で、操作が簡単で且つ移動可能な防湿容器に関する。
【背景技術】
【０００２】
昔から人々は物品の安全保存の問題を解決すべく防湿防黴と防腐蝕の有効手段を捜し求めてきた。黴菌の生長発育条件からみて、黴の生えやすい物品の有効な防護手段は黴菌の生存条件を破壊することであり、即ち物品を相対湿度６０％以下、或いは温度摂氏１０度以下の環境で保存すれば、黴菌の生長を防止できる。しかし長時間の温度制御はエネルギー消耗が非常に高く、相当に不経済であり、このため防護のポイントは空気中の水分制御に落ち着くことになる。
【０００３】
酸化腐蝕の問題に対しては、大気中の酸素ガスを除去することは相当に困難で実際的でないため、防護のポイントは必然的に水分の制御に落ち着く。科学研究が証明するところによると、金属を腐蝕が発生する臨界値以下の環境中に置くと、腐敗速度は遅くなり、環境湿度が下がるほど、腐蝕速度は遅くなり、物品放置の環境の相対湿度が３０％まで下がると、湿度のもたらす電気化学腐蝕過程が進行不能となり、金属の腐蝕は完全に停止する。
【０００４】
このことから分かるように、環境中の水分を制御し環境相対湿度を４０％程度に制御すれば、ほとんどの物品の安全保存を保証できるため、人々は多種の乾燥方法を採用している。
【０００５】
伝統的な方法には以下の三種類がある。即ち、高温、低温及び乾燥剤による除湿の三種類の方法である。そのうち、高温除湿方式は加熱方式でベークして除湿し、各種の電熱と遠赤外線乾燥箱、オーブン等が用いられる。この方法は作業温度が高いため、有機材料で構成された物品或いは薬品が破壊されやすく、また金属材料に対してはその金属性能を変成させ損害を形成しやすい。
【０００６】
低温式除湿方式は、冷却式除湿機（エアコンと半導体冷却装置を含む）により冷却除湿するが、この装置の購入費用は高く、消耗電力は巨大である。その環境温度は正常環境温度より低いため、物品を取り出す時、光学レンズ、精密機器、高輝度金属の表面に結露が発生し、適時に取り除かねば損失を形成しうる。薬品に対しては悪くない保存方式であるが、高温除湿方式と同様に装置費用が高く、移動に不便であるという欠点がある。
【０００７】
乾燥剤による除湿方式は、一般に密封容器内にシリカゲルを放置して除湿を行なう。その欠点は乾燥剤の吸湿量が飽和に達すると交換するか或いは人工で加熱乾燥して再生させなければならず、長年にわたる維持作業は相当に煩雑であり、更に重要なことは、乾燥剤の飽和時間を正確に予測できず、容器内の湿度がどれほどであるかをシリカゲルの変色程度によってでは確実に知ることができず、妥当な時機に乾燥剤を交換することができないことである。このほか、いわゆる相対湿度とは、特定空間体積内の一定の空気含水量が当時の気温気圧に対応して形成する空気湿度値である。密封容器内の空気と外界空気は隔離され、容器内空気の絶対含水量は減少或いは増加せず、容器内水分含有量は固定され不変であるが、容器内相対湿度は外界温度気圧の昇降の影響を受けて、湿度の昇降を発生しうる。このため一定気温気圧条件にあって乾燥剤を一定の状況条件まで使用した状況で、安全保存のための定量湿度自動制御ができないと、容器内の空気は乾燥しないだけでなく、高湿の状況が出現して更には容器の壁に結露が生じるおそれがある。このほか、新しい乾燥剤を容器に入れる時、乾燥剤投入の数量を掌握しにくく、少な過ぎると湿度を下げることができず、多過ぎると湿度が低くなりすぎる状況が発生し、物品によっては危害を形成しうる。例えばカメラ、ビデオカメラ等電子機器中の集積回路の静電ショック、有機部品の亀裂、カメラフィルムに静電気による枝状紋様が出現しうる。また、正確な量を適時に交換できないため、湿度が過高となる状況も発生しうるため、容器内湿度が不安定となり、物品の保存に対して不利である。
【０００８】
以上の原因から、乾燥剤を使用しての物品の保存は安全性が高くない。カメラのレンズに発生する黴のほとんどは乾燥剤で保管した場合のものである。このほか、このような方式は小空間容器で保存する場合のみに適用され、大量の物品の保存には適さず、応用範囲が有限である。
【考案の開示】
【考案が解決しようとする課題】
【０００９】
以上の周知の防湿容器の、電力を消耗し、移動に不便で、設備コストが高い欠点、或いは環境水分制御不良でほとんど物品の保存の安全を保証できない問題を鑑み、本考案は、大量減圧可能な装置を利用して電源不要で、設計が簡単で、使用に便利であり、容器内の物品にもともと容器内に存在した空気や水分の影響を受けさせず、且つ容器自体を簡単に移動させられ、空間の制限を受けない、一種の防湿容器を提供することを目的としている。
【００１０】
本考案のもう一つの目的は防湿容器の密封蓋に気孔柱に嵌合させた指示手段を設け、バネと伸縮式ゴム管をそれに組み合わせ、該伸縮式ゴム管の状態変化により指示手段の位置を変動させて真空状態の表示を行なえるようにし、これにより容器が真空状態であるかを判断できるようにして真空状態の維持を確保できるようにすることにある。
【００１１】
本考案は容器本体と密封蓋を具え、該密封蓋は容器本体と組み合わされ、該密封蓋はシール蓋と外蓋で組成され、該シール蓋にフォーパイプ状の減圧管とそれに組み合わされる減圧手段が設置され、急速な減圧が行なえるものとされ、また、該シール蓋の一側に洩気弁手段が設けられ、もう一側に容器内が真空か否かにより伸縮する指示手段が設けられ、外蓋に上述の洩気弁手段と指示手段に組み合わされる保留孔が設けられ、該シール蓋と外蓋が接合される時に、該洩気弁手段と指示手段が外蓋より露出するものとされる。
【課題を解決するための手段】
【００１２】
請求項１の考案は、容器本体（１０）及び密封蓋（２０）を具え、該容器本体（１０）が中空状を呈してその内部に物品を放置するのに供され、該密封蓋（２０）は容器本体（１０）と組み合わされて両者間に密封関係を形成し、該密封蓋（２０）はシール蓋（２０２）と外蓋（２０１）で組成されている防湿容器において、
該シール蓋（２０２）にフォーパイプ状の減圧管（２５）とそれに組み合わされた減圧手段（２１）が設けられ、
該シール蓋（２０２）の一側に洩気弁手段（２２）が設けられ、もう一側に容器内の真空と非真空状態に対応して伸縮する指示手段（２３）が設けられ、
該外蓋（２０１）に上記洩気弁手段（２２）と指示手段（２３）に組み合わされる保留孔（２２１）、（２３０）が設けられ、シール蓋（２０２）と外蓋（２０１）が接合される時、該洩気弁手段（２２）と指示手段（２３）が外蓋（２０１）より露出することを特徴とする、防湿容器としている。
請求項２の考案は、請求項１記載の防湿容器において、指示手段（２３）は伸縮式ゴム管（２３１）の上に設けられ、該伸縮式ゴム管（２３１）は気孔柱（２０３）の外側に嵌合され、該伸縮式ゴム管（２３１）と気孔柱（２０３）の間にバネ（２３２）が介装され、該伸縮式ゴム管（２３１）に組み合わされたバネ（２３２）により容器内部の空気状態が発生する圧縮或いは伸張が伸縮式ゴム管（２３１）とその保留孔（２３０）の相対関係を改変し、これにより容器真空状態の判断に供され、容器が簡易な真空状態表示機能を具備したことを特徴とする、防湿容器としている。
請求項３の考案は、請求項２記載の防湿容器において、気孔柱（２０３）と伸縮式ゴム管（２３１）の間に介装されたバネ（２３２）の張力強度が容器内部が真空状態の時の真空圧力と符合し、これによりその真空状態が確保されることを特徴とする、防湿容器としている。
請求項４の考案は、請求項１記載の防湿容器において、外蓋（２０１）にハンドル（２４）が設けられたことを特徴とする、防湿容器としている。
請求項５の考案は、請求項１記載の防湿容器において、容器本体（１０）の周囲に係止部（１１）が設けられ、シール蓋（２０２）に該係止部（１１）と組み合わされる係止手段（２０２１）が設けられたことを特徴とする、防湿容器としている。
請求項６の考案は、請求項１記載の防湿容器において、容器本体（１０）の内側に溝体（１２）が設けられたことを特徴とする、防湿容器としている。
【考案の効果】
【００１３】
本考案の防湿容器は、電源不要で、設計が簡単で、使用に便利であり、容器内の物品にもともと容器内に存在した空気や水分の影響を受けさせず、且つ容器自体を簡単に移動させられ、空間の制限を受けない。
【００１４】
本考案の防湿容器は、指示手段の位置の変動により真空状態の表示を行な、これにより容器が真空状態であるかを判断でき、真空状態の維持を確保できる。
【考案を実施するための最良の形態】
【００１５】
図１の本考案の立体外観図に示されるように、本考案は容器本体（１０）と密封蓋（２０）を具えている。該容器本体（１０）は中空状を呈し、その内部に物品を放置できる。該密封蓋（２０）は該容器本体（１０）と組み合わされ、両者の間に密封関係を形成する。また密封蓋（２０）はシール蓋（２０２）と外蓋（２０１）で組成されている。
【００１６】
図２、３の分解図を参照されたい。該シール蓋（２０２）にはフォーパイプ状の減圧管（２５）とそれに組み合わされた減圧手段（２１）が設けられ、減圧速度を増すことができる。また各二つの減圧管（２５）の端部に吸気端（２５１）が設けられてシール蓋（２０２）の排気孔（２０４）と組み合わされる。別に軟性材質のブロックシート（２５１１）が上述の吸気端（２５１）と排気孔（２０４）の間に設けられ、このブロックシート（２５１１）により減圧管（２５）の無作動時の空気の外部への流出が防止される。
【００１７】
また、該シール蓋（２０２）の一側に洩気弁手段（２２）が設けられて、使用者が該洩気弁手段（２２）を押し下げる時、軟性材質のブロックシート（２５１１）が変形し、空気が入気孔（２０５）より容器内に進入し、その真空状態を解除する。シール蓋（２０２）のもう一側に容器内の真空と非真空状態に対応して伸縮する指示手段（２３）が設けられ、該指示手段（２３）は伸縮式ゴム管（２３１）の上に設けられ、該伸縮式ゴム管（２３１）は気孔柱（２０３）の外側に嵌合され、該伸縮式ゴム管（２３１）と気孔柱（２０３）の間にバネ（２３２）が介装され、該伸縮式ゴム管（２３１）に組み合わされたバネ（２３２）により容器内部の空気状態が発生する圧縮或いは伸張が伸縮式ゴム管（２３１）とその保留孔（２３０）の相対関係を改変し、これにより容器真空状態の判断に供され、容器が簡易な真空状態表示機能を具備するものとされる。そのうち、該バネ（２３２）の張力強度は容器内部が真空状態の時の真空圧力と相互に符合し、これによりその真空状態が確保される。また伸縮式ゴム管（２３１）はバネ（２３２）の動作により容器本体（１０）内部の空気状態に伴い変化し、これにより真空状態の表示を行なう。
【００１８】
また、外蓋（２０１）に上記洩気弁手段（２２）と指示手段（２３）に組み合わされる保留孔（２２１）、（２３０）が設けられ、シール蓋（２０２）と外蓋（２０１）が接合される時、該洩気弁手段（２２）と指示手段（２３）が外蓋（２０１）より露出するものとされる。該洩気弁手段（２２）は露出することで使用者が押圧操作により空気を容器内に進入させるのに便利とされ、指示手段（２３）の露出により容器内が真空であるか否かを表示するのに便利とされている。
【００１９】
また、該外蓋（２０１）はハンドル（２４）を具え、これにより本考案の移動性が増され、使用者が必要時に本考案を手に下げて移動させるのに便利である。当然、容器本体（１０）の周囲に係止部（１１）が設けられ、シール蓋（２０２）に該係止部（１１）と組み合わされる係止手段（２０２１）が設けられ、容器本体（１０）と密封蓋（２０）の結合が更に確実とされ、減圧時の動作も確実とされ、容器本体（１０）と密封蓋（２０）のシール不完全による減圧不能の状況の発生を防止できる。また、該係止部（１１）と係止手段（２０２１）の結合により容器内部が真空或いは非真空の状態で、容器本体（１０）と密封蓋（２０）が分離しにくく、手に下げて移動する時の安全性が増す。
【００２０】
また、容器本体（１０）の内側に溝体（１２）が設けられ、該溝体（１２）に湿度計（１３）が嵌め込まれ、容器本体（１０）が透明とされることで明らかに容器内部の当時の湿度を知ることができる。当然湿度計（１３）の代わりに温度計を嵌め込むこともでき、或いは湿度計と温度計を共に設けることもできる。
【００２１】
次に、図４、５に示される真空状態時と非真空状態時の部分断面図に示されるように、本考案の真空状態の表示は以下のようになされる。減圧手段（２１）を利用して容器本体（１０）内部の空気を減圧管（２５）を通して抽出して真空状態とする時、真空圧力作用の関係により、伸縮式ゴム管（２３１）とバネ（２３２）が吸引されて圧縮状となり、この時、該伸縮式ゴム管（２３１）の上面が気孔柱（２０３）の上端に貼り付き、その指示手段（２３）が外蓋（２０１）の保留孔（２３０）と揃った状態を呈して外部に突出せず（図４）、この時、真空状態にあると断定でき、並びにバネ（２３２）の張力と容器本体（１０）の真空圧力が相互に符合する設計により伸縮式ゴム管（２３１）を真空状態達成時に圧縮下降させて気孔柱（２０３）上部を被覆させる。容器本体（１０）内部の真空状態が破壊される時（洩気弁手段（２２）が下圧されたり、減圧不完全であったり、或いは容器本体（１０）の破裂等により浸透現象が発生した時）、伸縮式ゴム管（２３１）の真空吸引作用は消失し、該伸縮式ゴム管（２３１）がバネ（２３２）の弾力作用により伸張状に回復し、伸縮式ゴム管（２３１）の上端の指示手段（２３）を外蓋（２０１）の保留孔（２３０）の外部に上に突出させ（図５）、これにより容器本体（１０）内部が真空状態であるかを判断できる。
【００２２】
ゆえに、使用者は外蓋（２０１）の保留孔（２３０）により明らかに指示手段（２３）が突出状態を呈するのを確認でき、この時は容器が非真空状態であると判断でき、これにより更に減圧或いはその他の必要な措置を採り、これにより容器本体（１０）内部の未真空状態が保存物の変質をまねき、それに使用者が気づかない状態を防止でき、並びに保存物の安全を維持できる。ゆえに本考案の実用価値と安全性に優れた設計である。
【００２３】
以上の構造により、本考案はフォーパイプ状の減圧管（２５）及び減圧手段（２１）により、簡易な設計で減圧速度を増し、電力不使用の状況で、簡単に真空防湿の効果を達成できる。本考案はまた操作、移動の便利性を具備し、使用者が簡単に本考案を操作及び移動させることができる。当然、本考案の真空状態の真空状態の表示により、防湿容器の保存物に対する保存の実用性と安全性を高めることができる。
【図面の簡単な説明】
【００２４】
【図１】本考案の立体外観図である。
【図２】本考案の立体分解図である。
【図３】本考案の密封蓋の立体分解図である。
【図４】本考案の真空状態時の部分断面図である。
【図５】本考案の非真空状態時の部分断面図である。
【符号の説明】
【００２５】
（１０）容器本体
（１１）係止部
（１２）溝体
（１３）湿度計
（２０）密封蓋
（２０１）外蓋
（２０２）シール蓋
（２０２１）係止手段
（２０３）気孔柱
（２０４）排気孔
（２０５）入気孔
（２１）減圧手段
（２２）洩気弁手段
（２３）指示手段
（２３１）伸縮式ゴム管
（２３２）バネ
（２４）ハンドル
（２５）減圧管
（２５１）吸気端
（２５１１）ブロックシート
（２２１）、（２３０）保留孔
【図１】
0003105074.tif 000003
【図２】
0003105074.tif 000004
【図３】
0003105074.tif 000005
【図４】
0003105074.tif 000006
【図５】
0003105074.tif 000007